Podtech/llm-jp-corpus-v4-ja_patent huggingface dataset:
(57)【要約】      （修正有）【課題】今までの、自転車の１本スタンドでは安定性が悪く、地盤の悪い所、又風の強い日など、倒れるのを防止する。【解決手段】固定基板１に、スタンドカイド金具２を、設ける。スタンドカイド金具２に、スタンド棒３とスタンド棒４の２本を組み込み、固定基板１にボルトと、ナット６で押さえる、スタンド棒４は、スタンドガイド金具２の、一端８に、溶接かビスで止め固定する。使用する時は、今迄通りのように、足でスタンドのフックを押しながら前方に蹴り上げれば、引張バネの作用により、スタンド棒３とスタンド棒４が三角形に展開し駐輪状態になり，又反対に後方に蹴り上げれば，走行状態になる。【選択図】図２
2011006040.tif 000002
【特許請求の範囲】
【請求項１】
自転車の後部車軸に取り付けた固定基板（１）に、スタンドガイド金具（２）と、スタンド棒２本を取り付けた、ツインスタンド付自転車。
【発明の詳細な説明】
【０００１】本発明は、自転車にスタンドガイド金具を設け、１本のスタンド自転車を、２本のスタンド自転車に改良した、自転車に関するものである。
【背景技術】
【０００２】従来、今までの棒スタンド自転車は駐輪時、１本の棒スタンドで自転車を支えていた。
【発明が解決しようとする課題】
【０００３】傾斜地，砂利地，風の強い日など，倒れている多くの、１本スタンド自転車を目撃します、以上の問題を解決する為になされたものである。
【課題を解決する為の手段】
【０００４】自転車の後部車軸に取り付けた固定基板（１）に、スタンドガイド金具（２）と、スタンド棒２本を取り付けた、ツイン、スタンド付自転車。
【発明の効果】
【０００５】従来，往々にして転倒しやすかった、１本スタンドの自転車を、２本スタンドの自転車に改良した事により、大幅に，１本スタンド自転車の転倒防止に役立つものと思われる。
【発明を実施する為の最良の形態】
【０００６】以下、本発明の実施の形態を説明する。
（イ）固定基板（１）に、スタンドガイド金具（２）を設ける。
（ロ）固定基板（１）、スタンドガイド金具（２）、スタンド棒（３）、スタンド棒（４）、を揃えて先端に穴をあける。
（ハ）固定基板（１）に、スタンドガイド金具（２）と、スタンド棒（３）スタンド棒（４）を、ボルト（５）と、ナット（６）で押さえる。
（に）スタンド棒（４）は、スタンドガイド金具（２）の，左側に溶接（８）する、又はビス止めで固定してもよい。
（ホ）スタンドガイド金具（２）に，スタンド棒（４）が、固定される為，固定基板（１）内を供に作動し、スタンド棒（３）は、単独で、スタンドガイド金具（２）内作動する。
本発明は以上のような構造である。
本発明を使用する時は、今迄通りのように、足でスタンドのフックを押しながら前方に蹴り上げれば、引張バネの作用により、スタンドが三角形に展開し駐輪状態になり，又反対に後方に蹴り上げれば，走行状態になるものである。
【図面の簡単な説明】
【０００７】
【図１】本発明の部品組み立て並列図
【図２】本発明の駐輪図
【図３】本発明の走行図
【符号の説明】（１）固定基板
（２）スタンドガイド金具
（３）スタンド棒
（４）スタンド棒
（５）ボルト
（６）ナット
（７）ワッシャー
（８）スタンドカイド金具（２）と，スタンド棒（４）の固定個所
【図１】
2011006040.tif 000003
【図２】
2011006040.tif 000004
【図３】
2011006040.tif 000005
(57)【要約】【課題】場所の有効活用と作業性の向上及び、容器等資源の有効活用。【解決手段】ここから発明の解決手段を簡潔に記載して下さい。吊り下げ装置の切り込み等により容器等を固定し、吊り下げ装置本体は吸盤等で、使い勝手がよい場所に容器等を吊り下げることができることから、場所の有効活用と作業性の向上を図る。吊り下げることで自然に、容器等の内容物を容器内下部に集めることができ、容器等に負担をかけず内容物を使い切ることができるため、容器等が痛まず、再使用が可能となる。【選択図】図１
2011006143.tif 000002
【特許請求の範囲】
【請求項１】
吊り下げ装置の切り込み等により容器等を固定し、吊り下げ装置本体は吸盤等で、使い勝手がよい場所に容器等を吊り下げられる構造
【請求項２】
吊り下げ装置の切り込み等により容器等を固定し、吊り下げ装置本体は磁石等で、使い勝手がよい場所に容器等を吊り下げられる構造
【発明の詳細な説明】
【技術分野】
【０００１】この発明は、容器等をつり下げることにより、本来必要となる置くべき場所を他の目的に有効活用することできると同時に、容器等を使い勝手がよい場所に移動することでき、加えて、吊り下げることで自然に、容器等の内容物を容器内下部に集めることができ、容器等に負担をかけず内容物を使い切ることができるため、容器等が痛まず再使用を可能とする。
【背景技術】
【０００２】従来、容器等を使いやすい場所に置きたくても、場所がなければ置くことができず、その場合は作業性が犠牲にされていた。加えて、容器内の内容物が少なった場合、手の力で容器を押さえ、内容物を絞りだすことで対応していた。
【先行技術文献】
【特許文献】
【０００３】
【特許文献１】
【特許文献２】
【非特許文献】
【０００４】
【非特許文献１】
【非特許文献２】
【発明の概要】
吊り下げ装置の切り込み等により容器等を固定し、吊り下げ装置本体は吸盤等で、使い勝手がよい場所に設置することができる。
吊り下げることで自然に、容器等の内容物を容器内下部に集めることができ、容器等に負担をかけず内容物を使いきることができ、容器等が痛まず再使用が可能となる。
【発明が解決しようとする課題】場所の有効活用と作業性の向上及び、容器等資源の有効活用。
【・・・・】
【課題を解決するための手段】
吊り下げ装置の切り込み等により容器等を固定し、吊り下げ装置本体は吸盤等で、使い勝手がよい場所に容器等を吊り下げることができることから、場所の有効活用と作業性の向上を図る。
加えて、吊り下げることで自然に、容器等の内容物を容器内下部に集めることができ、容器等に負担をかけず内容物を使用することができるため、容器等が痛まず、再使用が可能となる。
【・・・・】
【発明の効果】
（１）場所の有効活用
（２）作業性の向上
（３）資源の有効活用
【・・・・】
【図面の簡単な説明】
【図１】本発明の斜視図である。
【発明を実施するための形態】
吊り下げ装置の切り込み等により容器等を固定し、吊り下げ装置本体は吸盤等で、使い勝手がよい場所に容器等を吊り下げる。
【・・・・】
【実施例】
【・・・・】
【産業上の利用可能性】
【・・・・】
【符号の説明】
【・・・・】
【受託番号】
【・・・・】
【図１】
2011006143.tif 000003
(57)【要約】【課題】広範囲に使える物品保持具を提供する。【解決手段】二つ折り可能な柔軟性シートの内面に、面ファスナーの雄片と雌片を、該シートを二つ折りにした場合に相互係着可能に設け、該面ファスナーに近接して粘着層を設けたことを特徴とする。【選択図】図６
2011006145.tif 000002
【特許請求の範囲】
【請求項１】
二つ折り可能な柔軟性シートの内面に、面ファスナーの雄片と雌片を、該シートを二つ折りにした場合に相互係着可能に設け、該面ファスナーに近接して粘着層を設けたことを特徴とする物品保持具。
【発明の詳細な説明】
【技術分野】
【０００１】  この発明は、面ファスナーと粘着層を用いた物品保持具に関する。
【背景技術】
【０００２】  従来より、多種多様な物品保持具が利用されているが、本発明にて示すように、面ファスナーと粘着層を併用したものは見あたらない。
【発明の開示】
【発明が解決しようとする課題】
【０００３】  従来の物品保持具は、主に紙片を押圧保持するクリップ、コード類を束ねる紐状のもの等があり、各々その用途によって使い分けられているが、対象とする保持物品は限定されており、より広範囲に使用できる物品が求められている。本発明は以上に鑑み、単一物品でありながら種々の物品を保持できる、新規かつ有用なる保持具を提供することを目的として開発されたものである。
【課題を解決するための手段】
【０００４】  課題を解決する手段として本発明は以下の構成とした。
すなわち、二つ折り可能な柔軟性シートの内面に、面ファスナーの雄片と雌片を、該シートを二つ折りにした場合に相互係着可能に設け、該面ファスナーに近接して粘着層を設ける。本発明は以上の構成よりなる物品保持具である。
【発明の効果】
【０００５】  本発明によれば、面ファスナーと粘着層の双方の機能にて物品を押圧保持する構成のため、種々の物品の保持を可能とする有用なる物品を得ることができる。また、シート片内に面ファスナーと粘着層を設ける方式のため、任意のサイズが容易に製作でき、製作コストも安価となるものである。
【発明を実施するための最良の形態】
【０００６】  以下、本発明の実施形態について説明する。
図において、１は軟質合成樹脂シートによる略長方形状のベースシート、２はベースシート上に粘着される面ファスナー雄片、３は該面ファスナーと所定距離を持ってベースシート上に粘着される面ファスナー雌片で、該シートを中央より二つ折りにした場合に相互係着可能に設けられる。４は面ファスナー３の両側にてベースシート上に粘着保持される細幅の粘着層である。なお、この粘着層高さは面ファスナー３の高さよりわずかに低く設定される。以上が、本発明の第一実施形態である。使用時は保持しようとする物品、例えば図７に示すイヤホンコードの場合は、二つ折りにしたベースシートの間にまとめたコードを挟んで軽く押圧する。この押圧にて面ファスナーは物品を挟んで互いに係着し、同時に粘着層がこの物品に当接して粘着する。この状態において、面ファスナー係着にて物品は押圧挟持されるが、同時に粘着にて物品のベースシートに対する移動が阻止され、従ってこのベースシートに対して物品はしっかりと保持される。
面ファスナー高さと粘着層高さの関係は重要である。図５のごとく、面ファスナー相互係着時において粘着層表面は対向するベースシート面と若干の距離を有して位置することが必要で、この距離がないと粘着層面は対向するベースシート面に粘着移行する恐れがあるため、これを阻止するために上記構成としたのである。なお、既述の例では面ファスナーの両脇に粘着層を設けているが、粘着層を中央として、この粘着層の両脇に面ファスナーを設けて構成してもよい。図９は本発明の他例を示すものである。前例はベースシートの一方の面に粘着層を設けたが、本例は図示のごとくベースシートの両面に粘着層を位置を変えて設けており、使用時は挟持物品の両面に粘着層が当接するので、より強く保持することができる。【０００７】  以上、本発明について記したが、本発明は面ファスナーと粘着層の双方を併用し、面ファスナーにて物品を押圧挟持するとともに粘着層にて挟持物品のスライド移動を阻止できるところにその特徴を有するものである。従来の物品保持具は、クリップに代表されるバネによる押圧挟持方式、マグネットによる押圧挟持、粘着式のフック等があるが、紙片挟持やひもによる吊下保持などその利用形態が限定されるものであったが、本発明は既述の構成にて種々の物品の押圧挟持が可能であり、その利用範囲は広く、棒体、袋体、コード類など多用に利用できるものである。なお、原理上ベースシートの両端近傍を相互係着させて使用するものである。例えば棒体を挟持するとき、棒体から離れた位置の面ファスナーはしっかりと係着するが、棒体位置ではその係着はなく、棒体近傍は半係着状態である。
このとき、面ファスナー雄片先端のカギ状部分に雌片のループ状部分が係止しているが、その対向距離の関係上ループが引張されて変形してたわみ状態にあり、カギ状部分の弾力にて相互距離を縮めようとする力が働き、従って物品は押圧挟持される。なお、ベースシートを二つ折りにしたとき、互いの先端位置が変化するように既述例は形成されているので、挟持を解除する場合につまみやすく便利である。また、ベースシートは挟持物品形状に追随できる柔軟性が望ましい。なお、例示では粘着層厚さを接近している面ファスナー厚さよりやや低くしているが、ベースシート二つ折り時に、対向するベースシート内面と距離が保たれればよいので、この厚さは適宜に選択できる。
以上のごとく、本発明によって有用なる物品保持具を得ることができる。
【図面の簡単な説明】
【０００８】
【図１】  本発明の平面図
【図２】  本発明の正面図
【図３】  本発明の底面図
【図４】  本発明の拡大正面図（折り返し係着時）
【図５】  本発明の拡大右側面図（折り返し係着時）
【図６】  本発明の使用状態図（正面視）
【図７】  本発明の使用状態図（平面視）
【図８】  本発明の使用状態図
【図９】  本発明の他例の平面図
【符号の説明】
【０００９】  １  ベースシート
２  面ファスナー雄片
３  面ファスナー雌片
４  粘着層
５  棒体
６  イヤホンコード
７  袋体
【図１】
2011006145.tif 000003
【図２】
2011006145.tif 000004
【図３】
2011006145.tif 000005
【図４】
2011006145.tif 000006
【図５】
2011006145.tif 000007
【図６】
2011006145.tif 000008
【図７】
2011006145.tif 000009
【図８】
2011006145.tif 000010
【図９】
2011006145.tif 000011
(57)【要約】      （修正有）【課題】引き出しの収納時にかさばらずにカップの形状を保護することのできるブラジャーカップ保護具を提供する。【解決手段】ブラジャーカップの生地の損傷しない柔らかい綿等を入れた布１を使用した乳房様の形態を特徴とし、ブラジャー４、５枚を一度に重ねて収納できるブラジャーカップ形状保護具である。【選択図】図１
2011006144.tif 000002
【特許請求の範囲】
【請求項１】
柔らかい綿等を入れた布を使用した乳房様の形態を特徴とするブラジャーカップ保護具。
【請求項２】
ブラジャー４、５枚を一度に重ねて収納できることを特徴とする請求項１記載のブラジャーカップ形状保護具。
【発明の詳細な説明】
【技術分野】
【０００１】  この発明は、ブラジャーの引き出し収納時に用いるカップ形状保護に関する。
【背景技術】
【０００２】  ブラジャーのカップの形状は、収納時に型くずれしやすいが、型くずれを防ぐことを重視する一枚づつ形状を保護するとタンスの引き出し等ではかさばり、収納しにくい。
【先行技術文献】
【特許文献】
【０００３】
【特許文献１】公開特許広報２００８−２９０７２２
【発明の概要】
【発明が解決しようとする課題】
【０００４】  しかしながら、以上の技術によれば、ブラジャーの枚数が多くなるとかさばるため一般に所有するブラジャーの枚数が４、５枚となると引き出しへの収納が困難である。
そこで、この発明は、引き出しの収納時にかさばらずにカップの形状を保護することを課題とする。
【課題を解決するための手段】
【０００５】  以上の課題を解決するために、第一発明は、柔らかい綿等を入れた布を使用した乳房様の形態を特徴とするブラジャーカップ保護具である。また、第二発明は、ブラジャー４、５枚を一度に重ねて収納できることを特徴とするブラジャーカップ形状保護具である。
【発明の効果】
【０００６】  第一発明によれば布を使用しているためブラジャーカップの生地の損傷を引き起こすことなく、プリント柄等により、かわいらしく収納ができる。また、第二発明によれば、ブラジャーの収納が、かさばることなくカップの保護ができる。
【図面の簡単な説明】
【０００７】
【図１】この発明の一実施形態を示す斜視図である。
【図２】作成図である。
【図３】作成図である。
【図４】使用図である。
【発明を実施するための形態】
【０００８】  この発明の一実施形態を、図１に示す。
この本体１は２つの綿等を入れた布製のフットボール型の球の間をゴムでつないでいる。
【０００９】「実施形態の効果」
この実施形態によれば、二つのフットボール型の球をゴムでつないでいるためブラジャーのカップに入れやすい。したがって、カップの大きさに関係なくフィットし、カップの形状を保護できる。柔らかくブラジャー４、５枚を重ねてもカップの形状を保護できる。
【符号の説明】
【００１０】１  布  ２  縫いしろ  ３  縫い合わせ  ４  ゴム  ５  綿（ぱんや）入り口  ６  本体
【図１】
2011006144.tif 000003
【図２】
2011006144.tif 000004
【図３】
2011006144.tif 000005
【図４】
2011006144.tif 000006
(57)【要約】      （修正有）【課題】津波・高潮等の波浪や流れに対して消波する構造物で、護岸の前面で波を消波し海岸から陸域に侵入する波を消し、人命・財産を防護する。【解決手段】護岸４の前面に杭１を並べて打ちその杭に、円形筒状の金網ネット２を取り付け金物３で固定する。この構造物の間隙に波や流れ５が通過する事により乱流を互いに起して消波する。【選択図】図１
2011006977.tif 000002
【特許請求の範囲】
【請求項１】
護岸の前面に杭を並べて打ち、その杭に円形筒状の金網ネットを取り付け金物で固定する。その構造物の間隙を波、流れが通過する事により乱流となり互いに消波する構造物で、津波や台風時に護岸構造物に激突する波を弱め超波を防ぎ陸域の人命・財産を守る消波構造物。
【請求項２】
円形筒状の金網ネットは合成材又は他金属でも良く、杭もコンクリート又は木杭でも良い。
【発明の詳細な説明】
【技術分野】
【０００１】
この発明は海岸や河川の護岸に於いて波浪や流れを減少して護岸の防護を行うと共に消波を行い津波や高潮時の反射・流れ・振動等を弱めて水域・海域の防災に寄与する消波構造物。
【背景技術】
【０００２】
消波構造物には例えば特開文献１又は特開文献２参照がある。
【０００３】
従来工法には護岸擁壁、コンクリートブロック消波工、捨石工、杭打ち工、防潮堤等がある。
【０００４】
津波防災として昔から各地には塩害に強い松林、マングローブ林等の防潮林があり、護岸背後に設置されている事が多い。
【先行技術文献】
【特許文献】
【０００５】
【特許文献１】特開２００２−２２７１６５号  この文献は海岸の消波及び飛砂を防止する消波構造物。
【０００６】
【特許文献２】特開２００９−１１４６３６号  この文献は湾内海岸の流れや波高を消波して護岸を守り陸域防護する構造物。
【発明の概要】
【発明が解決しようとする課題】
【０００７】
津波が来襲し護岸に波が激突し超波して流れる事が多く、引き潮の場合構造物の安定をはからねばならない。
【０００８】
津波や台風時には海岸付近で流れが大きく船舶や流木等が護岸に激突する。その流れを減少させて被害を少なくする対策が必要である。
【０００９】
海岸・水辺の構造物は劣化が早く多くの箇所で改築の必要性はあるが経済的にも困難である。
【００１０】
津波は護岸を超波し被災を及ぼす事が多く護岸の前面で消波しなければならない。
【００１１】
構造物の管理は常に怠ってはならないが、安全で安心の出来る経済的な構造物を作る必要がある。
【課題を解決するための手段】
【００１２】
護岸の前面に杭を並べて打ちその杭に円形筒状に作られた金網ネットを取り付け金物で固定する。その構造物の間隙を波、流れが通過する事により乱流となり互いに消波する構造物で、津波や台風の来襲時に護岸構造物に激突する波を弱め超波を防ぎ陸域の人命・財産を守る消波構造物である。
【００１３】
杭に設置する円形金網ネットは他の金属或いは合成材でもよく取替えが容易なものとする。
【発明の効果】
【００１４】
来襲する津波や高波を消波する事に拠り波や流れを消波して陸上での被災を無くす。
【００１５】
護岸で波の反射や流れを小さくして湾内の潮位の上昇を少なくする。
【００１６】
護岸構造物に激突する船舶や浮遊物を前面で防止する。
【００１７】
従来の防潮林より経済的で効果も大きく管理が簡単である。
【図面の簡単な説明】
【００１８】
【図１】側面図である
【図２】平面図
【図３】取り付け部詳細図
【発明を実施するための形態】
【００１９】
この発明は津波や台風に対して流れ・波高・波圧等の減少をはかる防災構造物であり実施図１により説明する。
【実施例】
【００２０】
護岸４の前面に杭を並べて打ちその杭に金網ネット２を設置し取り付け金物３で固定す
る。施工されたその間隙で波の乱流を起こし波や流れの消波を行う構造物。
【００２１】
施工に当たり、杭に取り付ける金網ネットは別途杭に合致する円形筒状に製作し設置する。品質は合成材又は他金属製でも良い。
【００２２】
施工に当たり取替えが簡単にする市販の取り付け金物又は番線でも良い。
【００２３】
金網ネットは消波を良くする為に幾重にも重ねた構造とする。
【符号の説明】
【００２４】
１  杭
２  円形筒状の金網ネット
３  取り付け金物
４  護岸
５  流れ
６  浮遊激突物
７  地盤
【図１】
2011006977.tif 000003
【図２】
2011006977.tif 000004
【図３】
2011006977.tif 000005
(57)【要約】【課題】従来、外出先では帽子については脱いだ上着と一緒に壁に掛けておいたり、手荷物と一緒に置いておくだけであったので、置忘れなどの紛失が目立つことが多かった。  実際に帽子は忘れ物のベスト３に入る位である。  本発明は、外出先での帽子の紛失を無くする為の紛失防止器を提供する。【解決手段】アクセサリー本体裏面に保持具を設け、アクセサリーの本体内部に渦巻きバネとリール巻取り部を設け、リール糸及び鎖やひも状の物で、溝付き保持具とつなぎ、溝付き保持具をアクセサリー本体内部に収納できるようにする。【選択図】図６
2011006826.tif 000002
【特許請求の範囲】
【請求項１】
アクセサリー本体裏面に保持具を設け、アクセサリーの本体内部に渦巻きバネとリール巻取り部を設け、リール糸及び鎖やひも状の物で溝付き保持具とつなぎ、溝付き保持具をアクセサリー本体内部に収納できるようにしたことを特徴とする帽子紛失防止器。
【発明の詳細な説明】
【技術分野】
【０００１】  本発明は帽子の置忘れ等による紛失を防止する為の物である。
【背景技術】
【０００２】  従来、帽子の置き忘れや外出先での紛失を防止するグッズは無くて、外出先ではただ帽子を紛失しない様に注意しているほか無かった。
【発明の開示】
【発明が解決しようとする課題】
【０００３】  従来、外出先では帽子については脱いだ上着と一緒に壁に掛けておいたり、手荷物と一緒に置いておくだけであったので、置忘れなどの紛失が目立つことが多かった。
実際に帽子は忘れ物のベスト３に入る位である。
本発明は、以上の問題点を解決する為に成されたものである。
【課題を解決するための手段】
【０００４】    アクセサリー本体裏面の保持具を設け、アクセサリーの本体内部に渦巻きバネとリール巻取り部を設け、リール糸及び鎖やひも状の物で、溝付き保持具とつなぎ、溝付き保持具をアクセサリー本体内部に収納できるようにする。
以上の構成よりなる帽子紛失防止器。
【発明の効果】
【０００５】  従来外出先で目立った帽子の紛失を、本発明により防止し、帽子の紛失をなくすることが出来る。
本発明は、帽子の紛失だけではなくて、歩行の最中にもバック等の手荷物に手軽に取り付ける事が出来るので、便利であり、ファッション性もある。
紛失機能の使用以外の帽子着用時は、アクセサリーとしての機能があるので、そのままでファッション性にも勝れている。
【発明を実施する為の最良の形態】
【０００６】  以下、本発明の実施の形態を説明する。
（イ）アクセサリー本体（１）の裏面（２）に保持具（３）を設ける。
（ロ）アクセサリー本体（１）の内部に渦巻きバネ（４）とリール糸巻き取り部（５）を設ける。
（ハ）アクセサリー本体（１）の側部に挿入穴（７）を設ける。
（ニ）アクセサリー本体裏面（２）に保持具（３）を設ける。
（ホ）アクセサリー本体（１）と溝付き保持具（６）をリール糸等（８）でつなぐ。
本発明は以上のような構造である。これを実際に使用するときは、アクセサリー本体裏面（２）の保持具（３）で帽子に取り付け、溝付き保持具（６）を挿入穴（７）より引き抜きリール糸等（８）を引き伸ばし脱いだ上着のポケット等に溝付き保持具（６）を引っ掛ける。又は、リール糸等（８）を引き伸ばし、バック等の手荷物の取っ手に溝付き保持具（６）を潜らし回し、リール糸等（８）に溝付き保持具（６）の溝（９）を引っ掛ける。
この様な、リール糸等（８）でバッグ等の手荷物に取り付ける方法では、歩行時に手軽に持ち歩ける便利さとファッション性がある。
【図面の簡単な説明】
【０００７】
【図１】本発明の断面図
【図２】本発明の裏面図
【図３】本発明の溝付き保持具正面図
【図４】本発明の溝付き保持具背面図
【図５】本発明の溝付き保持具側面図
【図６】本発明の使用時における斜視図
【符号の説明】
【０００８】  （１）アクセサリー本体  （２）本体裏面  （３）保持具  （４）渦巻きバネ
（５）リール糸巻き取り部  （６）溝付き保持具  （７）挿入穴  （８）リール糸等
（９）溝
【図１】
2011006826.tif 000003
【図２】
2011006826.tif 000004
【図３】
2011006826.tif 000005
【図４】
2011006826.tif 000006
【図５】
2011006826.tif 000007
【図６】
2011006826.tif 000008
(57)【要約】【課題】  布を裁断した時点で布がばらばらにならないように沢山の待ち針で止めたいが、待ち針の頭のぼっちが布とすれたりぼっちがひっかかったりして抜け落ることがあり心配で待ち針はうてないそして縫う時点でもう一度布を合せ直して待ち針を少しずつ打って縫っている大変なロス時間と思った子供のいる家庭では針仕事は大変神経を使っている【解決手段】  待ち針がぜったい抜け落ちる事もなく手にもささらなくあやまってふんでも針がささったり折れたりしない待ち針にした。特に子供のいる家庭など待ち針をいっぱいさした布で縫い物をしていても安心になった。【選択図】図１
2011006830.tif 000002
【特許請求の範囲】
【請求項１】
従来の待ち針と針金を接続し針金を一回転させてもどる力で接続した待ち針を出したり、しまつたりする力とした。又針の先はいためないように前のカバに収納することとしたことを特長とした安全安心の待ち針。
【請求項２】
従来の待ち針と針金を接続した部分を保強をした事と保強の部分にこの待ち針が目立つようカラフルの色をつけた事を特長とした請求項１記載の安全安心の待ち針。
【発明の詳細な説明】
【技術分野】
【０００１】  絶対抜け落ちない安全安心の待ち針についての分野
【背景技術】
【０００２】  待ち針を使う仕事をする時、布に打った待ち針の頭が布とすれ合い抜けやすくなるので、待ち針をうったまま仕舞い次に仕事をする時、又は動かして広げる時など大変神経を使い沢山の待ち針をうつ事が出来なかった。【０００３】  細い待ち針は商品を仕上た後待ち針の取り忘れを検査する時見つけにくく、待ち針が商品に入ってしまう事が時々あった。【０００４】  学校で大勢の子供が針を使った後、針をなくした子供のほとんどが待ち針であった。最後迄さがすのが大変だった。【０００５】  小さい子供のいる家庭では待ち針を打った布に子供がふれる事に神経をすりへらして縫物をしている。【０００６】  仕事中でも待ち針が手にささったりして痛い思いをよくしている【０００７】  布を裁断した時点ですぐ布がずれないように待ち針を沢山使って固定しておき、裁断した時のまま、布がのびないまま次の仕事がしたいが待ち針は布とすれ合ったり動かしたりする事で抜け落ちる事があり沢山の待ち針の使用は危険であった【０００８】  裁断した布がずれてしまいもう一度合せ直し待ち針を打つことになり、大変のロスと思っていた
【発明が解決しようとする課題】
【０００９】  沢山の待ち針を打ってどんなに布を移動させても、待ち針が抜け落ちなかったら一度に沢山の待ち針を打つ事が出来、あちこち移動させる事も出来、合せ直す二度手間もなくなり仕事の能率はかなり上ると考へた。
【００１０】  手で縫ったりくけたりしている時糸を引き抜く。その時糸がわっぱになり、待ち針の頭をひっかける。そのため待ち針は引っぱられ抜けて飛んでしまう。針をさがす手間が大変だった。
【００１１】  子供のいる家庭では針を使う時大変神経を使っている。
糸を通した縫い針は手に持って縫うので心配はないが、待ち針は布を動かすことで抜け落る心配があり、布にさわりたがる子供にとても神経をすりへらしていた。
【００１２】  どんなに布を動かしても手にささる事もなく抜け落ちることもない待ち針があったなら仕事の能率も上り安心して子供といっしょに針仕事も出来ると考へた。
【課題を解決するための手段】
【００１３】  布を裁断した時点で布がいざらないよう沢山の待ち針を打っても、どんなに布を動かしても絶対抜け落ちない待ち針が必要と考へた。
【００１４】  仕上った後製品に待ち針が取り残されないようさがしやすくするため少しかさのある待ち針にしたいと考へた。
【００１５】  万が一取り残った待ち針があったとしても、手にささったり体にささったりしない安全な待ち針にしたいと考へた。
【００１６】  待ち針は洗練されて出来ているので現在の針でないといけないと考へ、現在の針と弾力のある針金と合体することとした。図１参照。
【００１７】  針の素材は堅く曲げれば折れてしまうので弾力のある針金を使いばねに利用し図１のように接続して待ち針の機能を重視しばねになる針金と合体させた。
【００１８】  ４のばねになる針金は片手で操作出来るやわらかさとする事とした。
【００１９】  針金の５の部分と待ち針の６の部分をしっかり接続しその上をゴム材又はすべらないジュシでおおい待ち針が抜け落ちないよう補強した。
【００２０】  接続した上をおおった３の部分は目立ちやすいようカラフルの色にした。
【００２１】  針の先がいたまないように８の部分までをまっすぐとし外側の手のふれる部分を丸くする
【発明の効果】
【００２２】  布を裁断した時点で安全安心の待ち針を使用すればどんなに布を動かしても裁断した時の状態がたもたれもう一度合せ直す難儀な手間もなくロス時間が大幅にへり仕事の能率を上げる事が出来る
【００２３】  どんなに布を動かしてもあやまって踏んでも針がささる事もなく折れる事もなく仕事中に手にささる心配もない。
【００２４】  子供のある家庭では針を打った布にさわられる事はとても心配だったが、子供がさわっても、あやまって踏んでも針がささったり折れたりする心配がなくなった。
【００２５】  裁断した時布がななめの時にも沢山の待ち針を打って止められるので布がのびて合せにくくなる心配がなくなった。
【図面の簡単な説明】
【図１】  全体図
【産業上の利用可能性】  縫製企業にはかなりの能率アップとなる。
【符号の説明】  １  針
２  針金
３  接続した所のカバー、色をつけて目立ちやすくした。
４  針金を一回まわすことでバネにした。
５  針金の先。針の根元と接続する部分
６  待ち針の根元で５の針金と接続する部分
７  待ち針を収納するうけ皿
８  針の先をいためないよう収納するためここまでまっすぐにする
【図１】
2011006830.tif 000003
(57)【要約】【課題】着脱用防水ファスナーを使用せず、首から着脱するドライスーツを提供する。【解決手段】着脱用防水ファスナーを使用せず、スーツの衿部に体が入り易く、着用後に首にフィットする様、伸縮性のある素材を使用し、その衿部に後方から衿を重ねてかぶる事により、防水性を持たせたことを特徴とする水上スポーツ用ドライスーツ。【選択図】図１
2011006827.tif 000002
【特許請求の範囲】
【請求項１】
着脱用防水ファスナーを使用せず、スーツの衿部に体が入り易く、着用後に首にフィットする様、伸縮性のある素材を使用し、その衿部に後方から衿を重ねてかぶる事により、防水性を持たせたことを特徴とする水上スポーツ用ドライスーツ。
【発明の詳細な説明】
【技術分野】
【０００１】本発明は着脱用防水ファスナーを使用せず、首から着脱するドライスーツに関するものである。
【背景技術】
【０００２】従来、背中に硬い防水ファスナーを取り付け、そこから着脱するドライスーツがあった。
【発明の概要】
【発明が解決しようとする課題】
【０００３】その為、次のような問題があった。
（イ）背中から袖方向に横に防水ファスナーが取り付けられている為、防水ファスナーに手が届かず、一人で開閉することが出来ず、一人で着脱できない。
（ロ）硬い防水ファスナーが背中から袖方向に横に取り付けられている為、腕を前方向に倒すと背中がつっぱり、運動性が悪かった。
（ハ）水中に飛び込んだりすると、内部の空気圧力により、水中でファスナーが開いてしまい、溺れかけた事故があった。
【課題を解決するための手段】
【０００４】着脱用防水ファスナーを使用せず、スーツの衿部に体が入り易く、着用後に首にフィットする様、伸縮性のある素材を使用し、その衿部に後方から衿を重ねてかぶる事により、防水性を持たせた。
以上を特徴とする水上スポーツ用ドライスーツ。
【発明の効果】
【０００５】背中に硬い防水ファスナーが無い為、腕の運動性に優れ、一人で着脱出来て、安全である。
【図面の簡単な説明】
【０００６】
【図１】本発明の全体正面図
【図２】本発明の全体背面図
【図３】本発明の衿部装着前  上半身正面図
【図４】本発明の衿部装着後  上半身正面図
【図５】本発明の衿部装着後  断面図
【発明を実施するための最良の形態】
【０００７】以下、本発明の実施の形態について説明する。
（イ）本体（１）の首部に伸縮性のある内側衿（４）を接合する。
（ロ）本体（１）背面に外側衿（２）とマジックテープ（５）を設けた外側衿カバーを接合する。
（ハ）本体（１）前面にマジックテープ受け側（６）を接合する。
本発明は以上のような構成で、これを着用するときは、内側衿（４）を開き、足を通して体を入れる。内側衿を（４）を胸付近まで上げ、片腕ずつ袖を通し、着用する。
着用後、外側衿カバー（２）を後方からかぶり、マジックテープ（５）をマジックテープ受け側（６）に固定し、外側衿（３）を図５のように内側衿（４）を抑えるように折り返す。
図５のように外側衿（３）を装着することにより、内側衿（４）が抑えられるようになり、外側衿カバー（２）の下方向からと外側衿（３）の上方向からの水の浸入を防ぐ事が出来る。
【符号の説明】
【０００８】  １  本体
２  外側衿カバー
３  外側衿
４  内側衿
５  マジックテープ
６  マジックテープ受け側
【図１】
2011006827.tif 000003
【図２】
2011006827.tif 000004
【図３】
2011006827.tif 000005
【図４】
2011006827.tif 000006
【図５】
2011006827.tif 000007
(57)【要約】【課題】  手袋、指サック、二つを管理する煩わしさをなくし、組み込んだ紙を整えやすくするための、広告折り込み作業用手袋を提供する。【解決手段】  手袋の親指、人差し指、中指の第一関節から上の部分の両面にだけ、スベリ止めを設け、その他の部分にはスベリ止めを設けないで滑りやすくし、組み込んだ紙を整えやすく、左右どちらでの手にもはめることができることを特徴とする広告折り込み作業用手袋。【選択図】図１
2011006829.tif 000002
【特許請求の範囲】
【請求項１】
手袋の親指、人差し指、中指の第一関節から上の部分の両面にだけ、スベリ止めを設け、その他の部分にはスベリ止めを設けないで滑りやすくし、組み込んだ紙を整えやすく、左右どちらの手にもはめることができることを特徴とする広告折り込み作業用手袋。
【発明の詳細な説明】
【技術分野】
【０００１】  本発明は広告等のチラシなどを新聞、雑誌に組み込み作業をする時に手にはめる、広告折り込み作業用手袋に関するものである。
【背景技術】
【０００２】  従来、広告等のチラシなどを新聞、雑誌に組み込み作業をする時、素手に直接指サックをして、作業をしていたが、紙で手を切ることや、紙に手の水分をとられて手が荒れてしまうので、手袋をして、その上から指サックをして、作業をすることになった。
なおスベリ止め付き軍手が市販されている。
【発明の開示】
【発明が解決しようとする課題】
【０００３】  そのために、次のような問題点があった。
（イ）手袋をはずさなければならない時、まず指サックをはずしてから手袋をはずす、その時、指サックを落として拾うのに時間がかかったり、また指サックをいつの間にか無くしてしまったりする。
（ロ）手袋、指サック、二つを管理しなければならない。
（ハ）スベリ止め付き軍手は、組み込み作業をする時は紙をつかむので滑らなくて良いが、組み込んだあと両手で持ってたたいて整える時に、スベリ止めが付いている為、整えにくかった。
本発明は以上の問題点を解決しようとするものである。
【課題を解決するための手段】
【０００４】  手袋の親指、人差し指、中指の第一関節から上の部分の両面にだけ、スベリ止めを設け、その他の部分にはスベリ止めを設けないで滑りやすくし、左右どちらの手にもはめることができるようにする。以上を特徴とする広告折り込み作業用手袋である。
【発明の効果】
【０００５】  手袋と指サックが一体となるので、指サックをつけたり、はずしたり、なくしたりがない。またスベリ止めが全体に設けてないので、組み込んだ紙を整えやすくし、左右どちらにもはめることができるので、どちらかが使えなくなったときは、一組ではなく、一つだけ取り替えればよい。
【発明を実施するための最良の形態】
【０００６】  以下、本発明の実施の形態について説明する。
手袋（１）の親指（２），人差し指（３）、中指（４）の第一関節（５）から上の部分の両面にだけ、スベリ止めを設ける。
本発明は以上のような構造である。
【図面の簡単な説明】
【０００７】
【図１】本発明の斜視図
【符号の説明】
【０００８】    １  手袋
２  親指
３  人差し指
４  中指
５  第一関節
【図１】
2011006829.tif 000003
(57)【要約】【課題】  赤外線反射機能を有する熱反射性粒子含有繊維を提供すること【解決手段】  上記課題を解決するために、本発明者は繊維の製造過程で真球度の高い球状金属酸化物粒子を繊維に含有させることで、その繊維に熱反射性機能を付与できることを見いだした。高い熱線反射率を発揮できるため、この繊維により製造された衣類は、太陽光の赤外線による発熱を防ぎ、夏の屋外等の強い日差しの下でも着用している人が涼しく感じ、快適に過ごすことができる。【選択図】なし【特許請求の範囲】
【請求項１】
熱反射性粒子含有繊維は、赤外線反射性を有する球状金属酸化物粒子を含有することを特徴とする繊維。
【請求項２】
熱反射性粒子含有繊維は、真球度が０．７以上の球状金属酸化物粒子を含有することを特徴とする請求項１の繊維。
【請求項３】
熱反射性粒子含有繊維は、球状金属酸化物粒子の組成がシリカであることを特徴とする請求項１から２のいずれかの繊維。
【発明の詳細な説明】
【技術分野】
【０００１】  本発明は、熱線反射性粒子を繊維の製造過程で繊維に含有させてなる繊維に関し、さらに詳しくは、熱反射性機能を有する繊維に関する。
【背景技術】
【０００２】  近年、環境問題、エネルギー問題が声高に叫ばれており、公共の場の冷暖房の過剰な稼働を控え、クールビズやウォームビズと称して、夏は薄着をし、冬は厚着をすることが奨励されている。そこで、衣料品において、夏は涼しく、冬は暖かく過ごすことができるような機能を有する素材に対する要望が高まっている。
【発明の概要】
【発明が解決しようとする課題】
【０００３】  そこで、本発明は高い赤外線反射率を有する熱反射性粒子を含有させた繊維を提供することを課題とする。
【課題を解決するための手段】
【０００４】  上記課題を解決するために、本発明者は繊維の製造過程で真球度の高い球状金属酸化物粒子を繊維に含有させることで、該球状金属酸化物粒子が高い赤外線反射率を有することから、該繊維に熱反射性機能を付与できることを見いだした。
【発明の効果】
【０００５】  本発明は高い赤外線反射率を有する球状金属酸化物粒子を繊維に含有させることで、該繊維に熱線反射機能を付与することが可能になった。よって該繊維により製造された衣料品は、太陽光の赤外線による発熱を防ぎ、夏の屋外等の強い日差しの下でも着用している人が涼しく感じ、快適に過ごすことができる。また、繊維に金属酸化物粒子を含有させることで、防水効果、防シワ効果が得られる。
【発明を実施するための形態】
【０００６】  本発明において球状金属酸化物粒子を繊維の製造過程で合成繊維に含有させる方法としては、例えばポリアミドやポリエステル等の溶融紡糸の場合には重合体を溶融状態とし、この中に球状金属酸化物粒子の粉末を均一に分散含有させた後、空気中、ガス中あるいは液体中に押し出す方法が採用できる。
【０００７】  アセテートやオーロン等の乾式紡糸の場合は、重合体を適当な溶媒中に溶かして溶液状態とし、この中に球状金属酸化物粒子の粉末を均一に分散含有させた後、加熱させた空気中に押し出して溶剤を除去し重合体を固化繊維化する方法が採用できる。
【０００８】  更にビスコースレーヨン、ビニロン等の湿式紡糸の場合は、重合体の溶液中に球状金属酸化物粒子を分散含有させた後、凝固浴中に押し出して固化繊維化する方法が採用できる。
【０００９】  また、本発明において球状金属酸化物粒子を繊維の製造過程で木綿、麻、絹等の天然繊維に含有させる方法としては、染色の工程において、染料や顔料に球状金属酸化物粒子の粉末を均一に分散含有させ、染色をする方法を採用できる。
【００１０】  前記の球状金属酸化物粒子の組成は特に限定しないが、含有する金属としてはケイ素、アルミニウム、チタン、ジルコニウムなどが挙げられる。コストや性能などの観点からケイ素を用いたシリカが望ましい。また、該球状酸化物粒子の粒径は０．０５μｍから２０μｍ程度、より好ましくは０．２μｍから１０μｍ程度のものが望まれる。また、粒径のばらつきができるだけ小さいものが望まれる。
【００１１】  前記の球状金属酸化物粒子は真球度が０．７以上であることが望ましい。ここで、本明細書中における「真球度」とは、ＳＥＭで写真を撮り、その観察される粒子の面積と周囲長から、（真球度）＝｛４π×（面積）÷（周囲長）２｝で算出される値とする。１に近づくほど真球に近い。
【００１２】  また、本発明の繊維は従来の繊維製品のすべてに適応でき、下着、洋和服、くつ下、手袋、マフラー、スカーフ、ショール、マスク、帽子等の衣類、布団綿、布団、カバー、枕カバー、敷布、毛布等の寝具、座布団、クッション、イス、ソファー、カーペット、カーテン、壁クロス等に好適である。
(57)【要約】      （修正有）【課題】ゴミのポイ捨てを防ぐため、携帯しやすいゴミ袋を提供する。【解決手段】クリップ３の挟み部分を上側のリング１と下側のリング２とで構成し、袋４の底部をリング２の上方から通し、袋４の開口部をリング２で折り返して、リング１とで固定する。【選択図】図２
2011006257.tif 000002
【特許請求の範囲】
【請求項１】
クリップなどで袋を挟んで固定した部分をゴミの投入口とし、携帯するための器具
【発明の詳細な説明】
【技術分野】
【０００１】    この発明は、携帯に便利なゴミ袋のための装置である。
【背景技術】
【０００２】    外出先でゴミ箱が見当たらない時、使用済みのティッシュやガムの噛みくずなどのゴミは、ポイ捨てされるか、カバンやポケットに入れられる。しかし、大切な書類の入ったカバンや美しいバッグに直接ゴミを入れるのはためらわれるし、ポケットのゴミを出し忘れてそのまま洗濯してしまうと他の洗濯物も汚れてしまう。子供の遠足やキャンプなどには、ゴミ袋を持参させてゴミは自分で持ち帰るように注意するのに、普段の生活のゴミについては意識が低い。また、２００９年神戸で豚インフルエンザの問題が起こった時、ほとんどの人がマスクをしていたが、使用済みのマスクがポイ捨てされたり、風邪の時に鼻をかんだ後のティッシュがそのままカバンに入っているとウイルスの蔓延も心配されるので、各自がゴミ袋を持ち、自分のゴミは自分で処理する意識を高めるとよいと思われる。
【発明の概要】
【発明が解決しようとする課題】    そのために次のような問題点があった。
（ア）カバンにゴミ袋を入れて持ち歩く事を簡単な習慣にできるような工夫がなかった。
（イ）レジ袋をゴミ袋とする場合、ゴミの投入口がわかりづらいし、ゴミがこぼれないように持ち手を結ぶと、ゴミを入れる度にいちいちほどくのが面倒である。【０００３】    本発明は、以上の問題点を解決するためになされたものである。
【課題を解決するための手段】
【０００４】    クリップのリング（１）とリング（２）で袋を挟んでゴミ袋の口としたものを、ゴミ袋としてカバンなどに付けて、すぐにゴミを入れやすい状態にする。
リング（１）の部分に装飾性を持たせて、使いやすく美しいものにする。
本発明は、以上の構成よりなる簡易携帯式ゴミ袋である。
【発明の効果】
【０００５】    クリップで挟むだけなので簡単にゴミ袋を準備できるうえ、デザイン性を持たせることで日常的に携帯する習慣をつけ、ゴミのポイ捨てを防ぐことができる。また、ゴミに直接触らずに袋ごと捨てられるため衛生的である。大人が普段から自分の出したゴミを自分のゴミ袋に入れて持ち帰る姿を見て、子供がマナーを自然に身につける機会となる。外出時だけでなく、家でもティッシュ箱に直接付けてゴミ箱代わりに使用すると省スペースになる。
【発明を実施するための形態】
【０００６】    以下、本発明の実施の形態を説明する。
（イ）  クリップ部分（３）をつまんで、リング部分を開ける。袋（４）の底部の方から、リング（２）に上方から通し、袋の開口部分手前でリング（２）をおおうようにして折り返す。
（ロ）  クリップを放して袋を挟み、リング（１）で固定する。
（ハ）  リング（１）をゴミの投入口とする。
【図面の簡単な説明】
【０００７】
【図１】本発明の上から見た図、及び、横から見た図
【図２】本説明の使用方法、使用状態の図等
【符号の説明】
【０００８】１  リング（１）
２  リング（２）
３  クリップ部分
４  ポリ袋やレジ袋など
【図１】
2011006257.tif 000003
【図２】
2011006257.tif 000004
(57)【要約】【課題】踏段の荷重を測定することにより、より精度の高い状況把握を行い、踏段の異常検出を行う乗客コンベアの踏段検出装置を得る。【解決手段】利用者が乗る踏段１は、一端部に設けられたローラ２が第１の踏段案内レール３により案内されると共に、他端部に設けられたローラ４が第２の踏段案内レール５により案内されて移動する。踏段１を案内する第１の踏段案内レール３、及び第２の踏段案内レール５の一部に荷重検出装置６、７が設けられ、運転中に踏段１が荷重検出装置６、７の上を通過することにより、それぞれの踏段１の重量を測定する。【選択図】図１
2011006217.tif 000002
【特許請求の範囲】
【請求項１】
乗客コンベアに用いられる踏段の異常を検出する乗客コンベアの踏段検出装置において、前記踏段を案内する踏段案内レールに、前記踏段の荷重を検出する荷重検出装置を備えたことを特徴とする乗客コンベアの踏段検出装置。
【請求項２】
前記荷重検出装置の検出状況に応じて前記乗客コンベアの運転制御を行うと共に、異常状況の通報を行う制御装置を備えたことを特徴とする請求項１に記載の乗客コンベアの踏段検出装置。
【発明の詳細な説明】
【技術分野】
【０００１】
この発明は、エスカレーターや動く歩道などの乗客コンベアに用いられる踏段の破損あるいは脱落などの異常を検出する乗客コンベアの踏段検出装置に関するものである。
【背景技術】
【０００２】
従来、エスカレーターの踏段の脱落を発光素子と受光素子で構成される光学装置により監視し、脱落を検出したときはすぐにエスカレーターの運転を停止し、利用者の災害及び機器の破損を防止するエスカレーターの踏段脱落検出装置が提案されている（例えば、特許文献１参照）。
【先行技術文献】
【特許文献】
【０００３】
【特許文献１】特開平７−２５７８６６号公報
【発明の概要】
【発明が解決しようとする課題】
【０００４】
前記特許文献１で提案されているエスカレーターの踏段脱落検出装置は、踏段の内側に発光素子を設置すると共に、踏段の外側に受光素子を設置し、脱落した踏段を発光素子と受光素子で構成される光学装置により検出する装置であるが、この踏段脱落検出装置をエスカレーターの踏段に設置し、実際に運用した場合、光学装置を使用している点とその設置場所から頻繁な清掃作業が必要になる。
【０００５】
また、踏段の脱落以外に、利用者にとって危険な状態として、例えば踏段の破損といった状態があるが、前記特許文献１において提案されているエスカレーターの踏段脱落検出装置では、この踏段の破損まで検出することは困難である。
【０００６】
この発明は、前記従来技術の課題を解決するためになされたもので、踏段の荷重を測定することにより、より精度の高い状況把握を行い、踏段の異常検出を行う乗客コンベアの踏段検出装置を得ることを目的とするものである。
【課題を解決するための手段】
【０００７】
この発明に係る乗客コンベアの踏段検出装置は、踏段を案内する踏段案内レールに、前記踏段の荷重を検出する荷重検出装置を備えたものである。
【発明の効果】
【０００８】
この発明に係る乗客コンベアの踏段検出装置によれば、踏段の状態をより高い精度で把握することができ、踏段の状態に起因する事故の低減を図ることができる。
【図面の簡単な説明】
【０００９】
【図１】この発明の実施の形態１に係る乗客コンベアの踏段反転部の側面図である。
【図２】この発明の実施の形態１に係る乗客コンベアの構成図である。
【図３】この発明の実施の形態１に係る乗客コンベアの運転動作の説明図である。
【発明を実施するための形態】
【００１０】
以下、添付の図面を参照して、この発明に係る乗客コンベアの踏段検出装置について好適な実施の形態を説明する。なお、この実施の形態によりこの発明が限定されるものではない。
【００１１】
実施の形態１．
図１は、この発明の実施の形態１に係る乗客コンベアの上部における踏段反転部の側面図である。図１において、利用者が乗る踏段１は、一端部に設けられたローラ２が第１の踏段案内レール３により案内されると共に、他端部に設けられたローラ４が第２の踏段案内レール５により案内されて移動する。踏段１を案内する第１の踏段案内レール３、及び第２の踏段案内レール５の一部に荷重検出装置６、７が設けられ、運転中に踏段１が荷重検出装置６、７の上を通過することにより、それぞれの踏段１の重量を測定するように構成されている。なお、図示されていないが、乗客コンベアの下部における踏段反転部も上部踏段反転部と同様に構成されている。
【００１２】
図２は、実施の形態１に係る乗客コンベアの構成図を示す図である。図２において、踏段１に設けられた荷重検出装置６、７、あるいは下部踏段反転部に設けられた荷重検出装置８、９により検出された検出情報は、演算装置１０に送られる。演算装置１０では、その検出情報から異常がないかどうかの判定を行い、その判定結果により制御装置１１が乗客コンベアの運転制御を行ったり、スピーカー１２から利用者へ注意を喚起するアナウンスを発報すると共に、監視室への通報を行ったりする。
【００１３】
図３は、実施の形態１に係る乗客コンベアの運転動作の一例を表しており、次に、図３を用いて動作を説明する。
【００１４】
ケース１の場合、即ち、検出荷重値がゼロの場合は踏段１が抜けていると考えられるため、直ちに乗客コンベアを停止し、利用者への注意喚起のアナウンスを発報する。また、同時に監視室へ通報し、点検が必要であることを伝える。
【００１５】
ケース２の場合、即ち、検出荷重が標準値を下回っていた場合は踏段１が破損し、踏段１の重さが軽くなっていると考えられる。踏段１の破損は、状況によっては利用者にとって危険な状態になり得るため、乗客コンベアを通常運転から低速運転（または運転停止）に移行し、利用者への注意喚起のアナウンスを発報して監視室へも通報を行う。
【００１６】
ケース４の場合、即ち、検出荷重が標準値を上回っていた場合は、踏段１に何らかの付着物があるか、もしくは荷重検出装置６、７、８、９の故障が考えられる。この状態においては、危険度はそれほど高くないと考えられるため、利用者の不安を煽るような注意喚起のアナウンスや乗客コンベアの運転制御などは行わず、点検の必要性のみを監視室へ通報する。
【００１７】
なお、ケース３の場合、即ち、検出荷重が標準値の場合は、乗客コンベアの通常運転を継続する。
【００１８】
以上のように、実施の形態１に係る乗客コンベアは、踏段１の荷重を測定して踏段１の異常を検出するので、踏段の状態をより高い精度で把握することができ、踏段の状態に起因する事故の低減を図ることができる。
【符号の説明】
【００１９】
１  踏段
２、４  ローラ
３  第１の踏段案内レール
５  第２の踏段案内レール
６、７、８、９  荷重検出装置
１０  演算装置
１１  制御装置
１２  スピーカー
【図１】
2011006217.tif 000003
【図２】
2011006217.tif 000004
【図３】
2011006217.tif 000005